(57)【要約】【課題】  側面に紙の重なり部分があって段差を生じている紙容器に、温熱食品が入れられる場合において、紙容器が揺れ動いたときに内容物が漏出することのない温熱食品用の蓋付き紙容器、及び蓋を提供することを課題とする。【解決手段】  側面に紙の重なり段差部を有して温熱食品が入れられる紙容器と、この紙容器の開口部の内外面にわたって嵌め合わせ可能な嵌合部を備えた蓋とから構成され、前記蓋はポリプロピレンとフィラーとを混合して形成されるとともに、前記嵌合部が前記紙容器の内面に相対する逆テーパー部を有し、前記逆テーパー部が温熱食品の熱により軟化して前記重なり段差部との間隙を閉塞する温熱食品用の蓋付き紙容器である。【選択図】  図２
2005104476.tif 000002
【特許請求の範囲】
【請求項１】
側面に紙の重なり段差部を有して温熱食品が入れられる紙容器と、この紙容器の開口部の内外面にわたって嵌め合わせ可能な嵌合部を備えた蓋とから構成され、前記蓋はポリプロピレンとフィラーとを混合して形成されるとともに、前記嵌合部が前記紙容器の内面に相対する逆テーパー部を有し、前記逆テーパー部が温熱食品の熱により軟化して前記重なり段差部との間隙を閉塞する温熱食品用の蓋付き紙容器。
【請求項２】
請求項１記載の蓋付き紙容器において、フィラーの混合割合が全体の３５ｗｔ％〜４５ｗｔ％であることを特徴とする蓋付き紙容器。
【請求項３】
側面に紙の重なり段差部を有する紙容器に対して用いられ、前記紙容器の開口部の内外面にわたって嵌め合わせ可能な嵌合部を備えた蓋であって、前記蓋はポリプロピレンとフィラーとを混合して形成されるとともに、前記嵌合部が前記紙容器の内面に相対する逆テーパー部を有し、前記逆テーパー部が前記紙容器に入れられる温熱食品の熱により前記重なり段差部との間隙を閉塞するように軟化する蓋。
【請求項４】
請求項３記載の蓋において、フィラーの混合割合が全体の３５ｗｔ％〜４５ｗｔ％であることを特徴とする蓋。
【発明の詳細な説明】
【技術分野】
【０００１】
本発明は、蓋付き容器、及び蓋に関する。具体的には、温熱食品用の蓋付き紙容器、及び蓋に関する。
【背景技術】
【０００２】
蓋付き紙容器は、店舗などにおいて、温かいコーヒー、紅茶、ココア、スープ等の液体食品を入れて販売するために用いられる。その際、蓋付き紙容器は、コーヒー、紅茶、スープ等の内容物が容器を振ったとしても外部に漏れ出すことのないように高い密閉性が必要とされる。
【０００３】
本発明者は、蓋付き容器として、まず図４に示すような構造のものを実験した。蓋付き紙容器１としては円柱状のものを図示し、開口部に向かって拡がる逆テーパーとなっている。側面３１にカール部３２が設けられた紙容器３と、カール部３２に嵌め合わせ可能な嵌合部２０とを有する蓋２とから構成されている。そして、紙容器３の側面３１は、紙を巻きつけ、張り合わせることで成型されるため、紙の重なり段差部３４を有している。紙の重なり部分３３は２枚の紙が所定幅で重なっており、２枚の厚みで構成される。
【０００４】
また、蓋２はポリスチレンにより形成されている。蓋２に設けられた嵌合部２０は、全体として下向きコ字形を呈し、開口部に設けられたカール部３２に嵌合する形に形成される。そして、嵌合部２０は内縁側側面２１と、折り返し面２３と、及び外縁側側面２２、及び案内面２４とから構成され、それぞれが順に連続するように設けられる。そして、内縁側側面２１は、折り返し面２３に向かって垂直に形成される。また、外縁側側面２２は、折り返し面２３に向かって拡がるように形成されている。そして、案内面２４は、蓋２を紙容器３に嵌め合わせる際に、嵌合案内する。
【０００５】
図４の蓋付き紙容器１は、主に嵌合部２０の嵌め合わせにより、内容物の漏出を防止するものである。
【０００６】
しかしながら、紙容器３の側面３１は、図５、図６に示すように、内側カール部３２１、及び外側カール部３２２とからなる重なり部分３３を有するため、重なり段差部３４が形成される。
【０００７】
このため、蓋付き紙容器１に温熱食品が入れられる場合には、蒸発等によって容器内部の圧力が高まるために、蓋付き紙容器１が揺れ動いた際、内容物が重なり段差部３４の間隙４０を通じて浸入し、表面張力によって嵌合部２０全体に広がり、その結果、容易に外部に漏出するという問題点が実験により明らかになった。
【発明の開示】
【発明が解決しようとする課題】
【０００８】
そこで本発明では、側面に紙の重なり部分があって段差を生じている紙容器に、温熱食品が入れられる場合において、紙容器が揺れ動いたときに内容物が漏出することのない温熱食品用の蓋付き紙容器、及び蓋を提供することを課題とする。
【課題を解決するための手段】
【０００９】
上記課題を解決するため、本発明は、請求項１として、側面に紙の重なり段差部を有して温熱食品が入れられる紙容器と、この紙容器の開口部の内外面にわたって嵌め合わせ可能な嵌合部を備えた蓋とから構成され、前記蓋はポリプロピレンとフィラーとを混合して形成されるとともに、前記嵌合部が前記紙容器の内面に相対する逆テーパー部を有し、前記逆テーパー部が温熱食品の熱により軟化して前記重なり段差部との間隙を閉塞する温熱食品用の蓋付き紙容器を提供するものである。
【００１０】
また、請求項３は、側面に紙の重なり段差部を有する紙容器に対して用いられ、前記紙容器の開口部の内外面にわたって嵌め合わせ可能な嵌合部を備えた蓋であって、前記蓋はポリプロピレンとフィラーとを混合して形成されるとともに、前記嵌合部が前記紙容器の内面に相対する逆テーパー部を有し、前記逆テーパー部が前記紙容器に入れられる温熱食品の熱により前記重なり段差部との間隙を閉塞するように軟化する蓋である。
【００１１】
上記構成によれば、蓋を嵌め合わせた場合に、紙容器内面の相対する面に対して、逆テーパー部による押し付け圧力が発生する。そして、温熱食品の熱による逆テーパー部の軟化と、逆テーパー部による押し付け圧力とが相まって、紙の重なり段差部との間隙が閉塞する。
【００１２】
また、請求項２は、請求項１記載の蓋付き紙容器において、フィラーの混合割合が全体の３５ｗｔ％〜４５ｗｔ％であることを特徴とする。
また、請求項４は、請求項３記載の蓋において、フィラーの混合割合が全体の３５ｗｔ％〜４５ｗｔ％であることを特徴とする。
【００１３】
上記構成によれば、温熱食品の温度範囲内で、紙の重なり段差部における間隙を閉塞する観点から、フィラーの混合割合が最適化される。
【発明の効果】
【００１４】
以上、本発明によれば、蓋の嵌合部に逆テーパー部を設け、かつ、蓋の材質をポリプロピレン及びフィラーとから構成したことにより、紙容器の紙の重なり段差部における間隙が閉塞されるので、間隙を通じて、内容物が漏出することがなくなる。
【発明を実施するための最良の形態】
【００１５】
以下、本発明に係る温熱食品用の蓋付き紙容器を、実施の形態に基づき説明する。本発明の実施の形態（１）を図１〜図３に示す。
【００１６】
図１は、実施の形態（１）に係る蓋付き紙容器について示している。図２は、図１のＡ−Ａ断面を蓋と紙容器とが嵌合した状態で示した部分拡大図である。図３は、図２のＢ−Ｂ断面図である。
【００１７】
蓋付き紙容器１は、図１に示すように、蓋２及び紙容器３とから構成される。
【００１８】
紙容器３は開口部周縁が円形状の、底面３０と側面３１から構成され、側面３１の開口部周縁にはカール部３２が設けられる。そして、側面３１は、単一の紙を巻きつけ、端部同士を張り合わせて成型されるので、重なり段差部３４を有する。
【００１９】
図２のＡ−Ａ断面図には、重なり段差部３４を有するカール部３２と、重なり段差部３４以外の部分に位置するカール部３２Ａとがそれぞれ示されている。重なり段差部３４は、内側カール部３２１、及び外側カール部３２２とから形成され、重なり段差部３４の端において段差を生じている。
【００２０】
紙容器の側面３１の厚さは、３００μｍ〜４５０μｍであることが好ましい。側面３１の厚さが３００μｍより薄い場合には、剛性が十分ではなく、容易に変形してしまう。側面３１の厚さが４５０μｍより厚い場合には、重なり段差部３４による間隙４０が大きく、蓋２による間隙４０の閉塞が十分に行われない恐れがある。
【００２１】
次に、蓋２について説明する。
蓋２は円形状に形成され、その周縁部には紙容器３の開口部の周縁に嵌め合わせ可能となる嵌合部２０が設けられる。嵌合部２０は、図３に示したように、内縁側側面２１と、折り返し面２３と、外縁側側面２２、及び案内面２４とから構成され、それぞれが順に連続するように設けられる。そして、内縁側側面２１と外縁側側面２２はいずれも、断面が折り返し面２３に向かって拡がるように形成され、逆テーパー状となっている。
【００２２】
蓋２は、ポリプロピレンとフィラーとを混合して形成される。ポリプロピレンとフィラーとからなる樹脂は通常想定される温熱食品（約４０〜１００℃）に対して、適度な剛性及び熱可塑性を有する。すなわち、適度な剛性を有する材質であるため、蓋２を嵌め合わせた状態では、逆テーパー状に形成された内縁側側面２１のカール部３２への押し付け圧力が加わる。また、適度な熱可塑性を有する材質であるため、内縁側側面２１は熱により軟化し、紙容器３の重なり段差部３４との間隙４０を閉塞する。
【００２３】
フィラーとしては、炭酸カルシウム、水酸化アルミニウム、水酸化マグネシウム等が挙げられ、特に炭酸カルシウムが食品安全上好ましく用いられる。また、炭酸カルシウムに加えて、それ以外のフィラーを用いることも可能である。フィラーとは、各種物性や性質を改善するための物質のことを指す。
【００２４】
フィラーの混合割合としては、全体の３５ｗｔ％〜４５ｗｔ％であることが好ましい。フィラーの混合割合が４５ｗｔ％より多い場合には、蓋２の剛性が増し、柔軟性が低下する。このため、蓋２が熱により軟化し難く、紙の重なり段差部３４との間隙４０を十分に閉塞することができない。一方、４５ｗｔ％より少ない場合には、蓋２の剛性が低下する。このため、熱による内縁側側面２１によるカール部３２への押し付け圧力が低下し、内容物が漏れやすくなる。
【００２５】
蓋２のシート厚みとしては、フィラーの含有量にもよるが、３５０μｍ〜４００μｍであることが好ましい。シート厚みが３５０μｍ未満の場合には、材質の剛性が低下し、内縁側側面２１によるカール部３２への押し付け圧力が低下する。一方、シート厚みが４００μｍより厚い場合には、材質の剛性が増し、柔軟性が低下する。
【００２６】
蓋２の製造方法としては圧空成型、真空成型等の方法を用いることができ、嵌合部の紙容器内面に相対する面に逆テーパー部が設けられる形状であれば、特に限定されない。
【００２７】
実施の形態（１）によると、嵌合部２０に設けられる内縁側側面２１によりカール部３２への押し付け圧力が発生する。また、内容物の熱により内縁側側面２１は軟化するので、紙の重なり段差部３４以外の部位においては、内縁側側面２１Ａとカール部３２Ａとの密着性が向上する。そして、内容物の熱による内縁側側面２１の軟化と、内縁側側面２１による押し付け圧力とが相まって、図３に示すように、紙の重なり段差部３４による間隙４０が閉塞する。このため、飲料物等の内容物が揺れ動いた際に、紙の重なり段差部３４による間隙４０等から、内容物が漏出することがなくなる。
【００２８】
さらに、嵌合部２０の外縁側側面２２も逆テーパー状に形成されるため、外縁側側面２２の押し付け圧力によりカール部３２が挟まれて固定される。これにより、内縁側側面２１の押し付け圧力がカール部３２に対して確実に作用する。
【図面の簡単な説明】
【００２９】
【図１】本発明に係る実施の形態（１）の温熱食品用の蓋付き紙容器を示す斜視図である。
【図２】図１のＡ−Ａ断面を蓋と紙容器とが嵌合した状態で示した部分断面図である。
【図３】図２のＢ−Ｂ断面図である。
【図４】別例の蓋付き紙容器の断面図である。
【図５】図４の要部拡大図である。
【図６】図５のＣ−Ｃ断面図である。
【符号の説明】
【００３０】
１                   蓋付き紙容器
２                   蓋
２０、２０Ａ         嵌合部
２１、２１Ａ         内縁側側面
２２、２２Ａ         外縁側側面
２３、２３Ａ         折り返し面
２４、２４Ａ         案内面
３                   紙容器
３０                 底面
３１                 側面
３２、３２Ａ         カール部
３２１               内側カール部
３２２               外側カール部
３３                 重なり部分
３４                 重なり段差部
４０                 間隙
【図１】
2005104476.tif 000003
【図２】
2005104476.tif 000004
【図３】
2005104476.tif 000005
【図４】
2005104476.tif 000006
【図５】
2005104476.tif 000007
【図６】
2005104476.tif 000008